(57)【要約】【課題】吊りボルトへの固定状態の誤認識が生じず、しかも操作性に優れた、安全帯取付治具２の提供。【解決手段】安全帯取付治具２は、主プレート４、上支持プレート６、下支持プレート８、第一軸ピン１０、係止部１２、蓋プレート１４、挟持体１６、第二軸ピン１８及びロック機構２０を備えている。主プレート４は、第一凹部２２を有している。蓋プレート１４は、第二凹部３４を有している。第一凹部２２及び第二凹部３４により、吊りボルトが包持される。蓋プレート１４は、第一軸ピン１０により、主プレート４に回動自在に取り付けられている。挟持体１６は、第二軸ピン１８により、主プレート４に回動自在に取り付けられている。挟持体１６により、主プレート４及び蓋プレート１４が挟持される。ロック機構２０は、挟持体１６の回動を阻止する。【選択図】図１
2008264357.tif 000002
【特許請求の範囲】
【請求項１】
吊りボルトの雄ネジに対応する溝が刻まれた第一凹部を有する主プレート、
吊りボルトの雄ネジに対応する溝が刻まれた第二凹部を有しており、主プレートに軸着された蓋プレート、
主プレートに軸着されており、第一ポジションと第二ポジションとの間を回動自在であり、第一ポジションにあるときに主プレートとこの主プレートに合わされた蓋プレートとを挟持して蓋プレートの主プレートからの離間を阻止し、第二ポジションにあるときに主プレートからの蓋プレートの離間を許容する挟持体、
第二ポジションから第一ポジションへの挟持体の回動を許容し、第一ポジションから第二ポジションへの挟持体の移動を阻止するロック機構
及び
主プレート及び蓋プレートのいずれか一方に設けられており、安全帯のフックが係止される係止部
を備えており、
主プレートと蓋プレートとが合わされたときに、第一凹部及び第二凹部によって吊りボルトが包持されるように構成された、吊りボルト用の安全帯取付治具。
【請求項２】
上記ロック機構が、可動ピン及びこの可動ピンを付勢するバネからなり、第二ポジションから第一ポジションへの挟持体の回動のときに、主プレート又は蓋プレートに形成された爪を、バネの付勢に抗して可動ピンが乗り越えることでロックが有効となるように構成された請求項１に記載の安全帯取付治具。
【請求項３】
マグネットをさらに備えており、上記主プレートと蓋プレートとが合わされたときにこの主プレートと蓋プレートとの間に位置するようにマグネットが配置されており、このマグネットが、蓋プレートを主プレートへ相対的に吸着するように構成された請求項１又は２に記載の安全帯取付治具。
【請求項４】
請求項１から３のいずれかに記載の安全帯取付具の係止部に、安全帯のフックが係止されるステップ
及び
この安全帯取付具が吊りボルトに固定されるステップ
を含む吊りボルトへの安全帯取付方法。
【発明の詳細な説明】
【技術分野】
【０００１】
本発明は、吊りボルトに安全帯が取り付けられるための治具及び方法に関する。
【背景技術】
【０００２】
建築現場で屋外の高所作業を行う作業者は、安全帯を使用する。この安全帯は、胴ベルト、フック及びロープを備えている。ロープは、胴ベルトとフックとを連結する。作業者は胴ベルトを自らの胴体に巻き、フックを作業現場の所定箇所に掛止させる。作業者が足を踏み外した場合でも、胴ベルト、ロープ及びフックを介して作業者が吊り下げられ、墜落が防止される。胴ベルトに代えてハーネスが用いられた安全帯も、存在する。ロープに代えて織りベルトが用いられた安全帯も存在する。
【０００３】
ビルの建築では、天井から垂下する吊りボルトに、ケーブルダクト、空調ダクト等が固定される。さらに、この吊りボルトに吊り天井（「軽天」と称されている）の仕上げ材が固定される。これらの固定の作業のとき、作業者は脚立に上る。２つの脚立の間に架け渡された足場板に載って、作業者が作業を行うこともある。ビルの建築では、屋外のみならず屋内でも、高所作業が行われる。屋内作業においても、作業者の墜落が防止される手段が望まれている。
【０００４】
特開平７−１９２９０号公報には、吊りボルトに固定される金具が開示されている。この金具を介して、安全帯が吊りボルトに取り付けられる。作業者が足を踏み外した場合でも、この金具と安全帯とにより作業者が吊りボルトに吊り下げられるので、作業者の墜落が防止される。
【０００５】
特開２００５−３５１３９９公報には、吊りボルトに固定される掛止器具が開示されている。この掛止器具の穴に、安全帯のフックが通される。作業者が足を踏み外した場合でも、この掛止器具と安全帯とにより作業者が吊りボルトに吊り下げられるので、作業者の墜落が防止される。
【特許文献１】特開平７−１９２９０号公報
【特許文献２】特開２００５−３５１３９９公報
【発明の開示】
【発明が解決しようとする課題】
【０００６】
特開平７−１９２９０号公報に開示された金具では、締付けボルトの締め付け力により金具が吊りボルトに固定される。金具の固定のとき、作業者は締付けボルトを回さなければならない。金具が吊りボルトからはずされるとき、作業者は締付けボルトを逆方向に回さなければならない。屋内作業では、作業位置に近い吊りボルトに安全帯が取り付けられる。作業位置が変更されるたびに、作業者は締付けボルトを逆方向に回して吊りボルトから金具をはずし、さらに締付けボルトを回して他の吊りボルトに金具を固定しなければならない。この操作は、煩わしい。煩わしさゆえに、作業者が吊りボルトへの安全帯の取付を怠ることもある。
【０００７】
作業者は、不安定な足場の上で、両手を使ってこの金具を吊りボルトに固定する。このとき作業者は、手で体を支えることができない。この固定作業は、作業者にとって苦痛である。固定作業の途中で、作業者が足を踏み外すおそれもある。
【０００８】
さらにこの金具では、締付けボルトの締め付けが不十分であって、吊りボルトへの固定が不完全であるにもかかわらず、作業者がこれを完全であると誤認識するおそれがある。固定が不完全である場合において、作業者が足を踏み外すと、金具が吊りボルトからはずれて作業者が墜落してしまう。
【０００９】
特開２００５−３５１３９９公報に開示された掛止器具が吊りボルトからはずされるには、安全帯のフックが穴から抜かれる必要がある。作業位置が変更されるたびに、作業者はフックを穴から抜き、吊りボルトから掛止器具をはずし、他の吊りボルトに掛止器具を固定し、穴にフックを通さなければならない。この操作は、煩わしい。煩わしさゆえに、作業者が吊りボルトへの安全帯の取付を怠ることもある。
【００１０】
この掛止器具が用いられた作業が終了した後、まずフックが穴から抜かれ、その後に掛止器具が吊りボルトからはずされる。この段階で、掛止器具は安全帯から分離している。従って、作業者が安全帯のみを携帯し、掛止器具を携帯し忘れることがある。作業者が、掛止器具を紛失することもある。
【００１１】
本発明の目的は、吊りボルトへの固定状態の誤認識が生じず、しかも操作性に優れた安全帯取付治具の提供にある。
【課題を解決するための手段】
【００１２】
本発明に係る安全帯取付治具は、
（１）吊りボルトの雄ネジに対応する溝が刻まれた第一凹部を有する主プレート、
（２）吊りボルトの雄ネジに対応する溝が刻まれた第二凹部を有しており、主プレートに軸着された蓋プレート、
（３）主プレートに軸着されており、第一ポジションと第二ポジションとの間を回動自在であり、第一ポジションにあるときに主プレートとこの主プレートに合わされた蓋プレートとを挟持して蓋プレートの主プレートからの離間を阻止し、第二ポジションにあるときに主プレートからの蓋プレートの離間を許容する挟持体、
（４）第二ポジションから第一ポジションへの挟持体の回動を許容し、第一ポジションから第二ポジションへの挟持体の移動を阻止するロック機構
及び
（５）主プレート及び蓋プレートのいずれか一方に設けられており、安全帯のフックが係止される係止部
を備える。この治具は、主プレートと蓋プレートとが合わされたときに、第一凹部及び第二凹部によって吊りボルトが包持されるように構成されている。
【００１３】
好ましくは、ロック機構は、可動ピン及びこの可動ピンを付勢するバネからなる。この治具では、第二ポジションから第一ポジションへの挟持体の回動のときに、主プレート又は蓋プレートに形成された爪を、バネの付勢に抗して可動ピンが乗り越えることでロックが有効となる。
【発明の効果】
【００１４】
この安全帯取付治具は、挟持体が主プレートと蓋プレートとを挟持することで、吊りボルトに固定される。挟持体が主プレートと蓋プレートとを挟持していない状態では、治具は吊りボルトから脱落する。従って、治具の吊りボルトへの固定が不完全であるにもかかわらず、作業者がこれを完全であると誤認識することがない。
【００１５】
この治具では、安全帯のフックが係止部に係止されたままで、治具の吊りボルトへ着脱が達成される。この治具の、吊りボルトへの着脱の操作は、簡便である。作業者は、この操作を敬遠しない。この治具により、安全帯の高い着用率が達成されうる。治具には常にフックが係止しているので、作業者が安全帯を携帯すれば、必ず治具も携帯される。治具の紛失も生じにくい。しかも作業者はこの着脱を片手で行えるので、着脱作業中も他方の手で体を支えることができる。従って、着脱作業中に作業者が足を踏み外すことがない。
【発明を実施するための最良の形態】
【００１６】
以下、適宜図面が参照されつつ、好ましい実施形態に基づいて本発明が詳細に説明される。
【００１７】
図１は本発明の一実施形態に係る安全帯取付治具２が示された斜視図であり、図２はその平面図であり、図３はその一部切り欠き正面図である。この治具２は、主プレート４、上支持プレート６、下支持プレート８、第一軸ピン１０、係止部１２、蓋プレート１４、挟持体１６、第二軸ピン１８及びロック機構２０を備えている。この治具２は、金属材料からなる。典型的な金属材料は、合金鋼である。
【００１８】
主プレート４は、図２における左右方向に延在しており、かつ図３における上下方向（鉛直方向）に延在している。主プレート４は、第一凹部２２を有している。第一凹部２２は、鉛直方向に延在している。第一凹部２２の水平断面形状は、略半円である。第一凹部２２の内周面には、多数の溝２４が刻まれている。この溝２４は、後述される吊りボルトの雄ネジに対応する。図３に示されるように、主プレート４は、爪２６及び切り欠き２８を備えている。爪２６の上縁は、図３において右上がりに傾斜している。爪２６と切り欠き２８との間には、段差が生じている。
【００１９】
上支持プレート６及び下支持プレート８は、水平方向に延在している。上支持プレート６及び下支持プレート８は、主プレート４と一体的に形成されている。１枚のプレートが折り曲げられることで、主プレート４、上支持プレート６及び下支持プレート８が形成されている。これら支持プレートの間に、第一軸ピン１０が架け渡されている。上支持プレート６は、ストッパー３０を備えている。
【００２０】
係止部１２は、主プレート４の下方に位置している。係止部１２は、主プレート４に連続している。係止部１２は、主プレート４と一体的に形成されている。係止部１２は、開口３２を備えている。
【００２１】
蓋プレート１４は、図２における左右方向に延在しており、かつ図３における上下方向（鉛直方向）に延在している。蓋プレート１４は、第二凹部３４を有している。第二凹部３４は、鉛直方向に延在している。第二凹部３４の水平断面形状は、略半円である。第二凹部３４の内周面には、多数の溝３６が刻まれている。この溝３６は、後述される吊りボルトの雄ネジに対応する。
【００２２】
蓋プレート１４は、図３における右端に、筒部３８を備えている。筒部３８は、プレートが折り曲げられ、かつ溶接されることで形成されている。筒部３８は、鉛直方向に延在している。筒部３８には、第一軸ピン１０が通されている。筒部３８の内径は、第一軸ピン１０の外形よりも若干大きい。この第一軸ピン１０により、蓋プレート１４は主プレート４に軸着されている。蓋プレート１４は、第一軸ピン１０を中心として、主プレート４に対して回動自在である。回動の方向は、図２における矢印Ａ及びＢの方向である。図２には、蓋プレート１４が矢印Ａの方向に最も回動した状態が示されている。この図２では、蓋プレート１４は主プレート４に合わされている。この状態では、第一凹部２２と第二凹部３４とにより、ループが形成されている。図２に示された状態から、蓋プレート１４が矢印Ｂの方向に回動した状態が、図４に示されている。図４では、蓋プレート１４は主プレート４から離間している。蓋プレート１４の、矢印Ｂの方向への過剰の回動は、ストッパー３０により阻止される。
【００２３】
蓋プレート１４は、矢印Ａの方向にも、矢印Ｂの方向にも付勢されていない。換言すれば、蓋プレート１４の主プレート４に対する回動は、フリーである。バネ等の付勢手段により、蓋プレート１４が矢印Ｂの方向に付勢されてもよい。蓋プレート１４は、矢印Ａの方向には、付勢されないことが好ましい。
【００２４】
図２に示されるように、挟持体１６は、背面壁４０、側壁４２及び正面壁４４を備えている。側壁４２を介して、背面壁４０と正面壁４４とが連結されている。背面壁４０と正面壁４４とは、所定の間隔を隔てて離間している。平面視における挟持体１６の断面形状は、略「Ｕ」字状である。図３に示されるように、背面壁４０には長穴４６ａが形成されている。図１に示されるように、正面壁４４にも長穴４６ｂが形成されている。長穴４６ａの形状は、長穴４６ｂの形状と同一である。長穴４６ａ、４６ｂは、図３における上下方向に延在している。正面視において、長穴４６ａの位置は長穴４６ｂの位置と一致している。挟持体１６はさらに、リベット４８を備えている。リベット４８は、背面壁４０と正面壁４４との間に架け渡されている。
【００２５】
挟持体１６は、第二軸ピン１８により、主プレート４に軸着されている。挟持体１６は、第二軸ピン１８を中心として、主プレート４に対して回動自在である。回動の方向は、図３における矢印Ｃ及びＤの方向である。図１から３には、挟持体１６が矢印Ｃの方向に最も回動した状態が示されている。図１から３では、背面壁４０と正面壁４４との間に、主プレート４及び蓋プレート１４が挟持されている。図３に示された状態から、挟持体１６が矢印Ｄの方向に回動した状態が、図５に示されている。図５では、蓋プレート１４は挟持体１６に挟持されていない。
【００２６】
図３に示されるように、ロック機構２０は、可動ピン５０とバネ５２とからなる。可動ピン５０は、長穴４６ａ、４６ｂに通されている。可動ピン５０は、長穴４６ａ、４６ｂｂの内部において移動可能である。可動ピン５０の移動方向は、図３における上下方向である。
【００２７】
バネ５２は、コイル５４、第一当接部５６及び第二当接部５８からなる。コイル５４、第一当接部５６及び第二当接部５８は、１本の線材に曲げ加工が施されることで形成されている。コイル５４には、リベット４８が通されている。リベット４８により、バネ５２が挟持体１６に取り付けられている。第一当接部５６は、挟持体１６の側壁４２に当接している。第二当接部５８は、可動ピン５０に当接している。バネ５２により、可動ピン５０は、図３における下向きに付勢されている。
【００２８】
図６には、図３に示された状態から挟持体１６が矢印Ｄの方向に回動した状態が示されている。本発明では、図３に示された挟持体１６の位置は第一ポジションと称され、図６に示された挟持体１６の位置は第二ポジションと称される。図６に示されるように、第二ポジションでは、可動ピン５０は爪２６に当接している。挟持体１６の重力は、この挟持体１６を矢印Ｃの方向に回動させる方向に働いている。一方、バネ５２によって可動ピン５０の移動は阻止されている。バネ５２の付勢力は挟持体１６に働く重力よりも大きいので、挟持体１６は第二ポジションに静止している。正面視において、蓋プレート１４と正面壁４４とは重なっていない。換言すれば、挟持体１６は、蓋プレート１４を挟持していない。
【００２９】
作業者が、図６における矢印Ｃの方向に挟持体１６を押すと、可動ピン５０は右方向へと移動する。爪２６は右上がりなので、右方向への移動に伴い、バネ５２の付勢力に抗して可動ピン５０は上方向へも移動する。挟持体１６がさらに押されることで、可動ピン５０は爪２６を乗り越えて切り欠き２８に嵌り込む。こうして、挟持体１６の第二ポジションから第一ポジションへの移行が完了する。第一ポジションでは、可動ピン５０がバネ５２によって下向きに付勢されているので、この可動ピン５０は切り欠き２８から容易には抜けない。
【００３０】
作業者が、図３における上方向に可動ピン５０を押すと、バネ５２の付勢力に抗して可動ピン５０が上方へと移動し、切り欠き２８から抜ける。作業者がさらに、矢印Ｄの方向に挟持体１６を押すことで、挟持体１６が第一ポジションから第二ポジションへと移行する。
【００３１】
図７は、図１の治具２の使用の様子が示された正面図である。図７には、天井６０からつり下げられた吊りボルト６２も示されている。図７には、安全帯のフック６４も示されている。フック６４は、係止部１２の開口３２に通されている。
【００３２】
作業者がこの治具２を吊りボルト６２に固定するときは、挟持体１６が第二ポジション（図６参照）にあり、かつ蓋プレート１４が主プレート４から離れた状態で、主プレート４の第一凹部２２（図２参照）に吊りボルト６２を当てる。作業者は、蓋プレート１４を矢印Ａの方向へ回動させ、蓋プレート１４を主プレート４に合わせる。回動により、蓋プレート１４の第二凹部３４が吊りボルト６２に当接する。吊りボルト６２は、第一凹部２２及び第二凹部３４に囲まれる。作業者はさらに、挟持体１６を矢印Ｃ（図６参照）の方向へ回動させる。回動により、挟持体１６は第一ポジション（図３参照）に至る。第一ポジションでは、挟持体１６によって主プレート４及び蓋プレート１４が挟持される。挟持により、蓋プレート１４の回動が阻止される。第一ポジションでは、第一凹部２２及び第二凹部３４により、吊りボルト６２が包持される。第一凹部２２の溝２４及び第二凹部３４の溝３６は、吊りボルト６２の雄ネジと噛み合う。この噛み合いにより、治具２が吊りボルト６２に固定される。作業者が足を踏み外したとき、安全帯及び治具２を介して、作業者が吊りボルト６２につり下げられる。この治具２により、墜落事故が防止される。
【００３３】
作業者がこの治具２を吊りボルト６２から取り外すときは、挟持体１６が第一ポジションにある状態で可動ピン５０を押し上げ、挟持体１６を矢印Ｄ（図３参照）の方向に回動させる。回動により、挟持体１６が第二ポジションに至る。作業者はさらに、蓋プレート１４を矢印Ｂ（図２参照）の方向に回動させる。回動により、第二凹部３４が吊りボルト６２から離れる。
【００３４】
この治具２では、吊りボルト６２に固定されたときの蓋プレート１４の回動を、挟持体１６が阻止する。さらに、この挟持体１６の回動を、ロック機構２０が阻止する。この治具６２では、二重の安全機構が機能する。
【００３５】
この治具２の、吊りボルト６２に対する着脱の操作は、極めて簡便である。作業者は、片手でも、治具２の着脱を行うことができる。作業者は、この操作に煩わしさを感じない。簡便な操作は、安全帯の着用率に寄与する。
【００３６】
この治具２では、開口３２にフック６４が通されたままで、吊りボルト６２への着脱がなされうる。この点でも、作業者は、着脱の操作に煩わしさを感じない。しかも、この治具２は安全帯に取り付けられたままで携帯されるので、作業者が治具２を紛失したり置き忘れたりすることがない。
【００３７】
この治具２では、挟持体１６が第二ポジションにあるとき、蓋プレート１４は主プレート４に対してフリーである。蓋プレート１４が主プレート４に合わされ、かつ挟持体１６が第二ポジションにある状態で、作業者が治具２から手を離すと、治具２は自重により吊りボルト６２からはずれて落下する。従って、治具２の吊りボルト６２への固定が不完全であるにもかかわらず、作業者がこれを完全であると誤認識することがない。この治具２は、作業者の安全に寄与する。蓋プレート１４が、主プレート４に対して付勢されてもよい。付勢の手段としては、例えばキックバネが挙げられる。このキックバネは、第一軸ピン１０に取り付けられうる。
【００３８】
図８は本発明の他の実施形態に係る安全帯取付治具６６が示された正面図であり、図９は図８のIX−IX線に沿った拡大断面図である。この取付治具６６は、主プレート６８、蓋プレート７０及びマグネット７２を備えている。この取付治具６６の主プレート６８、蓋プレート７０及びマグネット７２以外の構造は、図５に示された安全帯取付治具２のそれらと同一である。マグネット７２は、板状である。マグネット７２は、主プレート６８に接合されている。マグネット７２の磁力により、蓋プレート７０は主プレート６８に引き寄せられている。蓋プレート７０には、切り欠き７４が形成されている。
【００３９】
この取付治具６６では、作業者が指の爪を切り欠き７４に押し入れ、蓋プレート７０を開く。作業者は、主プレート６８と蓋プレート７０との間に吊りボルトを位置させて、蓋プレート７０から指を離す。蓋プレート７０はマグネット７２に引き寄せられ、主プレート６８と蓋プレート７０とによって吊りボルトが挟まれる。マグネット７２が、蓋プレート７０に接合されてもよい。
【図面の簡単な説明】
【００４０】
【図１】図１は本発明の一実施形態に係る安全帯取付治具が示された斜視図である。
【図２】図２は、図１の治具が示された平面図である。
【図３】図３は、図１の治具が示された一部切り欠き正面図である。
【図４】図４は、図１の治具が示された平面図である。
【図５】図５は、図１の治具が示された正面図である。
【図６】図６は、図１の治具が示された一部切り欠き正面図である。
【図７】図７は、図１の治具の使用の様子が示された正面図である。
【図８】図８は、本発明の他の実施形態に係る安全帯取付治具が示された正面図である。
【図９】図９は、図８のIX−IX線に沿った拡大断面図である。
【符号の説明】
【００４１】
２、６６・・・安全帯取付治具
４、６８・・・主プレート
１０・・・第一軸ピン
１２・・・係止部
１４、７０・・・蓋プレート
１６・・・挟持体
１８・・・第二軸ピン
２０・・・ロック機構
２２・・・第一凹部
２６・・・爪
２８・・・切り欠き
３４・・・第二凹部
３８・・・筒部
４０・・・背面壁
４２・・・側壁
４４・・・正面壁
４６ａ、４６ｂ・・・長穴
５０・・・可動ピン
５２・・・バネ
７２・・・マグネット
７４・・・切り欠き
【図１】
2008264357.tif 000003
【図２】
2008264357.tif 000004
【図３】
2008264357.tif 000005
【図４】
2008264357.tif 000006
【図５】
2008264357.tif 000007
【図６】
2008264357.tif 000008
【図７】
2008264357.tif 000009
【図８】
2008264357.tif 000010
【図９】
2008264357.tif 000011